(57)【要約】【課題】直射日光下においてもヘルメット内部の温度上昇を防止し、ヘルメット着用者の頭部の快適環境を実現できるヘルメットを提供することを目的としている。【解決手段】帽子状に形成されたヘルメット外殻材１１と、ヘルメット外殻材１１の内壁面１１ａに設けられた低放射率金属膜２０と、ヘルメット外殻材１１に設けられ、ヘルメット外殻材１１の内壁面１１ａとの間に隙間をもって配置されたインナー部材１２とを備えている。【選択図】図１
2011256505.tif 000002
【特許請求の範囲】
【請求項１】
帽子状に形成されたヘルメット外殻材と、
このヘルメット外殻材の内壁面に設けられた低放射率金属膜と、
上記ヘルメット外殻材に設けられ、上記ヘルメット外殻材の内壁面との間に隙間をもって配置されたインナー部材とを備えていることを特徴とするヘルメット。
【請求項２】
上記低放射率金属膜は、アルミニウム材を含むシート材から形成されていることを特徴とする請求項１に記載のヘルメット。
【請求項３】
上記低放射率金属膜は、放射率の低い金属材料を無機・有機剤で硬化させたものであることを特徴とする請求項１に記載のヘルメット。
【請求項４】
上記金属材料は、少なくともアルミニウム、金、銀、真鍮、クロム、コバルト、銅、錫、亜鉛、ステンレス及びその合金のうちいずれかを含むものであることを特徴とする請求項１に記載のヘルメット。
【発明の詳細な説明】
【技術分野】
【０００１】
本発明は、日光の照射による温度上昇防止機能を施したヘルメットに関する。
【背景技術】
【０００２】
ヘルメットは、作業者の頭部を保護するものとして従来より用いられている。このようなヘルメットを建設現場や野球等の屋外作業に用いる場合、日光が直接照射されると、内部が高温となる。これは、日光が直接照射されることにより、樹脂材製の外殻材が温度上昇し、高温となった外殻材は内部に熱放射する。特に夏期は温度上昇が著しく、熱中症等を防止する必要があり、従来から様々な暑さ対策がとられてきた。
【０００３】
例えば、ヘルメットの外側に熱反射シートを施したもの（例えば、特許文献１参照）、ヘルメットの内側に遮熱シートを帽体に成型したもの（例えば、特許文献２参照）が知られている。
【先行技術文献】
【特許文献】
【０００４】
【特許文献１】実用新案登録第３１４４１８８号公報
【特許文献２】特開２００７−１１９９４９号公報
【発明の概要】
【発明が解決しようとする課題】
【０００５】
上述したヘルメットでは、次のような問題があった。すなわち、ヘルメットの外側に熱反射シートを施すと、反射光により周囲の作業者が眩しさを感じるという問題があった。また、遮熱シートを帽体に成形したものは、ヘルメットの内側に配置されるため、外への眩しさは解消されるが、風通しが悪くなり頭部が蒸れ、不快となるという問題があった。
【０００６】
そこで本発明は、直射日光下においてもヘルメット内部の温度上昇を防止し、ヘルメット着用者の頭部の快適環境を実現できるヘルメットを提供することを目的としている。
【課題を解決するための手段】
【０００７】
前記課題を解決し目的を達成するために、本発明のヘルメットは次のように構成されている。
【０００８】
（１）帽子状に形成されたヘルメット外殻材と、このヘルメット外殻材の内壁面に設けられた低放射率金属膜と、上記ヘルメット外殻材に設けられ、上記ヘルメット外殻材の内壁面との間に隙間をもって配置されたインナー部材とを備えていることを特徴とする。
【０００９】
（２）前記（１）に記載されたヘルメットであって、上記低放射率金属膜は、アルミニウム材を含むシート材から形成されていることを特徴とする。
【００１０】
（３）前記（１）に記載されたヘルメットであって、上記低放射率金属膜は、放射率の低い金属材料を無機・有機剤で硬化させたものであることを特徴とする。
【００１１】
（４）前記（１）に記載されたヘルメットであって、上記金属材料は、少なくともアルミニウム、金、銀、真鍮、クロム、コバルト、銅、錫、亜鉛、ステンレス及びその合金のうちいずれかを含むものであることを特徴とする。
【発明の効果】
【００１２】
本発明によれば、直射日光下においてもヘルメット内部の温度上昇を防止し、ヘルメット着用者の頭部の快適環境の実現が可能となる。
【図面の簡単な説明】
【００１３】
【図１】本発明の一実施の形態に係るヘルメットを模式的に示す断面図。
【図２】同ヘルメットを模式的に示す下面図。
【図３】同ヘルメットの遮熱効果を示すグラフ。
【発明を実施するための形態】
【００１４】
図１は本発明の一実施の形態に係るヘルメット１０を模式的に示す縦断面図、図２はヘルメット１０を模式的に示す下面図である。なお、図中Ｈは人の頭部を示している。
【００１５】
ヘルメット１０は、樹脂材により帽子状に形成されたヘルメット外殻部材１１と、ヘルメット外殻部材１１の内側に取り付けられたハンモック状のインナー部材（衝撃吸収部材）１２とを備えている。インナー部材１２は、頭部とヘルメット外殻部材１１とが直接接触しないように設けられている。なお、インナー部材１２は、前側と後側が通流できるように構成されている。
【００１６】
図２に示すように、野球用に用いる場合は、耳まわり等の一部だけクッション（断熱層）１３を設け、クッション１３により頭部Ｈと接触するようにしてもよい。
【００１７】
ヘルメット外殻部材１１の内壁面１１ａには、低放射金属膜２０が施されている。低放射金属膜２０は、例えば、アルミニウム材を含むシート材から形成されている。また、放射率の低い金属材料を無機・有機剤で硬化させたものを用いても良い。金属材料としては、少なくともアルミニウム、金、銀、真鍮、クロム、コバルト、銅、錫、亜鉛、ステンレス及びその合金のうちいずれかを含むものである。この他、メッキで形成されていてもよい。さらに、ショットピーニング装置や蒸着装置で錫又はその合金またはアルミニウム又はその合金で付着させたものでもよい。
【００１８】
このように構成されたヘルメット１０であると、次のような効果がある。すなわち、日光が直接照射されることにより、ヘルメット外殻材部材１１が温度上昇する。高温となったヘルメット外殻部材１１の内壁面には、低放射金属膜２０が施されているため、熱放射が低減し、頭部Ｈが温まらない。また、インナー部材１２が設けられているため、ヘルメット外殻部材１１と頭部Ｈとが直接接触せず、熱伝導により頭部Ｈへ熱が伝わらない。さらに、ヘルメット外殻部材１１とインナー部材１２との間に空間があるため、外気が通流し、熱対流により熱が伝達されることもない。なお、クッション１３を設けた場合であってお、クッション１３が断熱材で形成されているので、熱伝導は生じない。
【００１９】
このように、熱放射、熱伝導、熱対流のいずれの熱伝達も低減されているため、ヘルメット外殻部材１１の温度に比べて、ヘルメット１０の内部空間を比較的低温に保つことができる。
【００２０】
図３はこのようなヘルメット１０の遮熱効果を示すグラフである。横軸に時間、縦軸にヘルメット内部の温度をとり、温度の時間変化をαで示している。なお、βは低放射金属膜２０が施されていないヘルメット内の温度変化を示している。
【００２１】
上述したように、本実施の形態に係るヘルメット１０においては、直射日光によりヘルメット外殻部材１１が高温となっても、熱放射、熱伝導、熱対流のいずれの熱伝達も低減することができるので、ヘルメット内部の温度上昇を防止し、ヘルメット着用者の頭部の快適環境を実現できる。
【００２２】
また、低放射金属膜２０はヘルメット外殻部材１１の内周面に設けられているため、紫外線劣化がおきにくい。さらに、インナー部材１２により頭部Ｈとの物理的な接触も起きにくく、剥がれにくい。さらに、反射光により周囲の作業者が眩しさを感じさせることもない。
【００２３】
また、ヘルメット外殻部材１１は通常のヘルメットと同じものを用いることができるため、色や会社のマーク、名前、血液型、安全マーク等を今までと同様に表示することができる。
【００２４】
なお、ヘルメット外殻部材１１の頭頂部に、排気孔を設けるようにしてもよい。この場合、ヘルメット１０内部の空気の通流を促進することができる。
【００２５】
なお、本発明は前記実施の形態に限定されるものではなく、本発明の要旨を逸脱しない範囲で種々変形実施可能であるのは勿論である。
【産業上の利用可能性】
【００２６】
本発明によれば、直射日光下においてもヘルメット内部の温度上昇を防止し、ヘルメット着用者の頭部の快適環境を実現できるヘルメットを提供することができる。
【符号の説明】
【００２７】
１０…ヘルメット、１１…ヘルメット外殻部材、１２…インナー部材（衝撃吸収部材）、１３…クッション、２０…低放射金属膜。
【図１】
2011256505.tif 000003
【図２】
2011256505.tif 000004
【図３】
2011256505.tif 000005